(57)【要約】【課題】様々な分岐形状に対応してワイヤーハーネスの分岐部を確実に保護することができるワイヤーハーネス保護材を提供する。【解決手段】本ワイヤーハーネス保護材は、ワイヤーハーネス２の分岐部３を収容可能な本体５を備えるワイヤーハーネス保護材１であって、本体の側面部には、ワイヤーハーネスが挿通可能であり縦断面積の異なる挿通穴２１、２２、２３が複数形成されている。上記本体５は、互いに突き合わされて挿通穴２１、２２、２３を形成する上ケース６及び下ケース７を備えることが好ましい。【選択図】図１
2014207826.tif 000002
【特許請求の範囲】
【請求項１】
ワイヤーハーネスの分岐部を収容可能な本体を備えるワイヤーハーネス保護材であって、
前記本体の側面部には、前記ワイヤーハーネスが挿通可能であり縦断面積の異なる挿通孔が複数形成されていることを特徴とするワイヤーハーネス保護材。
【請求項２】
前記本体は、互いに突き合わされて前記挿通穴を形成する上ケース及び下ケースを備える請求項１記載のワイヤーハーネス保護材。
【請求項３】
前記本体には、他部品に取り付けるための取付部材が装着可能な装着部が設けられている請求項１又は２に記載のワイヤーハーネス保護材。
【請求項４】
前記挿通孔には、前記ワイヤーハーネスを構成するコルゲートチューブの外周側に係合する凹凸部が設けられている請求項１乃至３のいずれか一項に記載のワイヤーハーネス保護材。
【発明の詳細な説明】
【技術分野】
【０００１】
本発明は、ワイヤーハーネス保護材に関し、さらに詳しくは、様々な分岐形状に対応してワイヤーハーネスの分岐部を確実に保護することができるワイヤーハーネス保護材に関する。
【背景技術】
【０００２】
一般に、ワイヤーハーネスにおいては、複数の部品に電流・信号を伝達するために分岐部が存在する。この分岐部には、通常、汎用の保護材（例えば、コルゲートチューブ等）が取り付けられていない部位が存在するため、製品搭載時に周辺部品との接触があってはならない。加えて、分岐部の素線の部分は、ワイヤーハーネスの一部が可動部品に固定されている場合、応力集中を受けやすい部位となる。ゆえに相対運動（特に、屈曲運動）のある区間にワイヤーハーネスの分岐部を設定することは好ましくない。
【０００３】
そこで、ワイヤーハーネスの分岐部を保護するワイヤーハーネス保護材として様々なものが提案されている（例えば、特許文献１参照）。この特許文献１には、例えば、図１０に示すように、ゴム等の弾性材からなる本体１０５を備え、この本体１０５の側面部にワイヤーハーネス１０２が挿通可能な挿通溝１０８を複数形成してなるワイヤーハーネス保護材１０１が開示されている。
【先行技術文献】
【特許文献】
【０００４】
【特許文献１】特開平１１−８９０４４号公報
【発明の概要】
【発明が解決しようとする課題】
【０００５】
上記従来のワイヤーハーネス保護材１０１では、ゴム等の弾性材からなる本体１０５を備えるので、本体１０５の弾性変形により挿通溝１０８内に外径の異なるワイヤーハーネス１０２を挿通させることができる。しかしながら、本体１０５は外力がかかると変形し易く、ワイヤーハーネス１０２の分岐部を確実に保護することが困難となる。特に、上述のような相対運動のある区間にワイヤーハーネス１０２の分岐部を設定することができない。
【０００６】
本発明は、上記現状に鑑みてなされたものであり、様々な分岐形状に対応してワイヤーハーネスの分岐部を確実に保護することができるワイヤーハーネス保護材を提供することを目的とする。
【課題を解決するための手段】
【０００７】
上記問題を解決するために、請求項１に記載の発明は、ワイヤーハーネスの分岐部を収容可能な本体を備えるワイヤーハーネス保護材であって、前記本体の側面部には、前記ワイヤーハーネスが挿通可能であり縦断面積の異なる挿通孔が複数形成されていることを要旨とする。
請求項２に記載の発明は、請求項１記載において、前記本体は、互いに突き合わされて前記挿通穴を形成する上ケース及び下ケースを備えることを要旨とする。
請求項３に記載の発明は、請求項１又は２記載において、前記本体には、他部品に取り付けるための取付部材が装着可能な装着部が設けられていることを要旨とする。
請求項４に記載の発明は、請求項１乃至３のいずれか一項記載において、前記挿通孔には、前記ワイヤーハーネスを構成するコルゲートチューブの外周側に係合する凹凸部が設けられていることを要旨とする。
【発明の効果】
【０００８】
本発明のワイヤーハーネス保護材によると、本体の側面部には、ワイヤーハーネスが挿通可能であり縦断面積の異なる挿通孔が複数形成されている。そして、ワイヤーハーネスの分岐形状に対応して挿通穴を選択してワイヤーハーネスを挿通させることで、本体内にワイヤーハーネスの分岐部が収容される。これにより、様々な分岐形状に対応してワイヤーハーネスの分岐部を外部干渉物や相対運動による応力集中から確実に保護することができる。
また、前記本体が、互いに突き合わされて前記挿通穴を形成する上ケース及び下ケースを備える場合は、上下ケースを突き合わせることで挿通穴にワイヤーハーネスが挿通される。
また、前記本体に、他部品に取り付けるための取付部材が装着可能な装着部が設けられている場合は、本体の挿着部にクリップやブラケット等の取付部材を装着することができる。その結果、取付部材を介してワイヤーハーネス保護材を固定側に固定することができる。
さらに、前記挿通穴に、前記ワイヤーハーネスを構成するコルゲートチューブの外周側に係合する凹凸部が設けられている場合は、コルゲートチューブの外周側に凹凸部が係合することで挿通穴にワイヤーハーネスが挟持される。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るワイヤーハーネス保護材の斜視図である。
【図２】上記ワイヤーハーネス保護材の分解斜視図である。
【図３】上記ワイヤーハーネス保護材を構成するケースの平面図である。
【図４】実施例に係る挿通溝を説明するための説明図である。
【図５】図１のＶ−Ｖ線断面図である。
【図６】図１のＶＩ−ＶＩ線断面図である。
【図７】実施例に係る装着部を説明するための説明図であり、（ａ）はケースの斜視図を示し、（ｂ）はワイヤーハーネス保護材の縦断面図を示す。
【図８】他の形態のワイヤーハーネス保護材を説明するための説明図である。
【図９】更に他の形態のワイヤーハーネス保護材を説明するための説明図である。
【図１０】従来のワイヤーハーネス保護材の斜視図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
＜ワイヤーハーネス保護材＞
本実施形態に係るワイヤーハーネス保護材は、ワイヤーハーネス（２）の分岐部（３）を収容可能な本体（５）を備えるワイヤーハーネス保護材（１）であって、本体の側面部には、ワイヤーハーネスが挿通可能であり縦断面積の異なる挿通穴（２１、２２、２３）が複数形成されている（例えば、図１及び図２等参照）。
【００１２】
本実施形態に係るワイヤーハーネス保護材としては、例えば、上記本体（５）は、互いに突き合わされて挿通穴（２１、２２、２３）を形成する上ケース（６）及び下ケース（７）を備える形態（例えば、図１及び図２等参照）を挙げることができる。この場合、例えば、上記上ケース（６）及び下ケース（７）のそれぞれの突き合わせ端側には、縦断面積の異なる挿通溝（８、９、１０）が複数形成されており、上下ケースを互いに突き合わせることで、上下ケースの各挿通溝（８、９、１０）により挿通穴（２１、２２、２３）が形成されることができる。
【００１３】
本実施形態に係るワイヤーハーネス保護材としては、例えば、上記本体（５）には、他部品に取り付けるための取付部材（２５、２６）が装着可能な装着部（２７）が設けられている形態（例えば、図７等参照）を挙げることができる。
【００１４】
本実施形態に係るワイヤーハーネス保護材としては、例えば、上記挿通穴（２１、２２）には、ワイヤーハーネス（２）を構成するコルゲートチューブ（１３）の外周側に係合する凹凸部（１４）が設けられている形態（例えば、図４及び図５等参照）を挙げることができる。
【００１５】
本実施形態に係るワイヤーハーネス保護材としては、例えば、上記挿通穴（２１、２２、２３）は、平面略円形状の本体の円周方向に沿って所定の角度間隔（好ましくは等角度間隔）で放射状に配設されている形態（例えば、図３等参照）を挙げることができる。これにより、ワイヤーハーネスの分岐形状に効果的に対応して配索することができる。
【００１６】
上述の形態の場合、例えば、上記挿通穴は、第１挿通穴（２１）及び第１挿通穴より縦断面積の小さな第２挿通穴（２２）を備え、第１挿通穴（２１）は、円周方向の角度間隔が１５０〜２１０度（好ましくは略１８０度）となるように一対が設けられ、第２挿通穴（２２）は、一対の第１挿通穴の円周方向の角度間隔の間に配設されていることができる（例えば、図３等参照）。これにより、ワイヤーハーネスの大径部（幹部）が一対の第１挿通穴に挿通されて略直線状に保持されるとともに、ワイヤーハーネスの中小径部が第２挿通穴に挿通されて保持される。
【００１７】
なお、上記実施形態で記載した各構成の括弧内の符号は、後述する実施例に記載の具体的構成との対応関係を示すものである。
【実施例】
【００１８】
以下、図面を用いて実施例により本発明を具体的に説明する。なお、本実施例では、車両で使用されるワイヤーハーネス保護材を例示する。
【００１９】
（１）ワイヤーハーネス保護材の構成
本実施例に係るワイヤーハーネス保護材１は、図１及び図２に示すように、ワイヤーハーネス２の分岐部３を収容可能な本体５を備えている。この本体５の側面部には、ワイヤーハーネス２が挿通可能であり縦断面積（すなわち、直径）の異なる縦断面略円形状の第１挿通孔２１、第２挿通穴２２及び第３挿通穴２３が形成されている。
【００２０】
なお、本実施例では、上記ワイヤーハーネス２として、図２に示すように、複数の電線１２をコルゲートチューブ１３で被覆してなるものを採用する。また、上記ワイヤーハーネス２の分岐部３として、大径部３ａ、中径部３ｂ（大径部３ａより小さな直径を有する部位）及び小径部３ｃ（中径部３ｂより小さな直径を有する部位）を有して３本以上に分岐する部位を例示する。
【００２１】
上記本体５は、互いに突き合わされて第１〜第３挿通穴２１、２２、２３を形成する樹脂製で有底筒状の上ケース６及び下ケース７を備えている。これら上下ケース６、７は、同じ形状に形成されている。また、これら上下ケース６、７のそれぞれの筒状部６ａ、７ａの先端側（すなわち、突き合わせ端側）には、図３に示すように、縦断面積（すなわち、直径）の異なる縦断面略半円形状の第１挿通溝８、第２挿通溝９及び第３挿通溝１０が形成されている。
【００２２】
上記第１〜第３挿通溝８、９、１０は、本体５の円周方向に沿って所定の等角度間隔（例えば、約４５度）で放射状に配設されている。この第１挿通溝８は、円周方向の角度間隔が略１８０度となるように一対が設けられている。また、第２挿通溝９は、一対の第１挿通溝８の円周方向の角度間隔のそれぞれの中間に設けられている。また、第３挿通溝１０は、円周方向に隣接する第１挿通溝８及び第２挿通溝９の中間に設けられている。
【００２３】
上記第１〜第３挿通溝８、９、１０のそれぞれの表面側には、図４及び図５に示すように、ワイヤーハーネス２を構成するコルゲートチューブ１３の外周側に係合する凹凸部１４が形成されている。
【００２４】
上記上ケース６の筒状部６ａの外周側には、図６に示すように、弾性変形可能なフック状の係止部１６と凹状の被係止部１７とが設けられている。また、下ケース７の筒状部７ａの外周側には、被係止部１７に係止する弾性変形可能なフック状の係止部１８と、係止部１６が係止する凹状の被係止部１９と、が設けられている。
【００２５】
ここで、図１に示すように、上下ケース６、７の筒状部６ａ、７ａを互いに突き合わせると、係止部１６、１８が被係止部１７、１９に係止して上下ケース６、７が一体化される。このとき、上下ケース６、７の間に収容空間Ｓ（図６参照）が形成されるとともに、上下ケース６、７の各第１〜第３挿通溝８、９、１０により第１〜第３挿通穴２１、２２、２３が形成される。
【００２６】
上記第１挿通穴２１は、その直径が約１０ｍｍとされ、ワイヤーハーネス２の大径部３ａが挿通可能な大きさとされている。また、第２挿通穴２２は、その直径が約７ｍｍとされ、ワイヤーハーネス２の中径部３ｂが挿通可能な大きさとされている。さらに、第３挿通穴２３は、その直径が約５ｍｍとされ、ワイヤーハーネス２の小径部３ｃが挿通可能な大きさとされている。なお、上記第１挿通穴２１は、第２挿通穴２２より縦断面積が大きく、第２挿通穴２２は、第３挿通穴２３より縦断面積が大きくされている。
【００２７】
（２）ワイヤーハーネス保護材の作用
次に、上記構成のワイヤーハーネス保護材１の作用について説明する。なお、本実施例では、ワイヤーハーネス２の分岐部３においてコルゲートチューブ１３の開口端側及び電線１２には、図示しないテープが巻き付けられているものとする。
【００２８】
図３に示すように、下ケース７において、第１挿通溝８にワイヤーハーネス２の大径部３ａを挿通させ、第２挿通溝９にワイヤーハーネス２の中径部３ｂを挿通させ、第３挿通溝１０にワイヤーハーネス２の小径部３ｃを挿通させる。この状態より、下ケース７の筒状部７ａに対して上ケース６の筒状部６ａを突き合わせると、係止部１６、１８及び被係止部１７、１９の係止により上下ケース６、７が一体化される。このとき、収容空間Ｓ内にワイヤーハーネス２の分岐部３が収容されるとともに、コルゲートチューブ１３の外周側に凹凸部１４が係止することで第１〜第３挿通溝８、９、１０の間にワイヤーハーネス２が挟持される。
【００２９】
（３）実施例の効果
以上より、本実施例のワイヤーハーネス保護材１によると、本体５の側面部には、ワイヤーハーネス２が挿通可能であり縦断面積の異なる挿通孔２１、２２、２３が複数形成されている。そして、ワイヤーハーネス２の分岐形状に対応して挿通穴２１、２２、２３を選択してワイヤーハーネス２を挿通させることで、本体５内にワイヤーハーネス２の分岐部３が収容される。これにより、様々な分岐形状に対応してワイヤーハーネス２の分岐部３を外部干渉物（例えば、金属エッジ、溶接バリ等）や相対運動による応力集中から確実に保護することができる。
【００３０】
特に、樹脂製のケース６、７で被うため、ワイヤーハーネス２の電線素線部分と外部干渉物との接触を防ぐことができる。また、分岐素線部分への負荷がないため、ワイヤーハーネ２全体の耐久性が向上する。さらに、テープ巻き量の減少と、簡単に取り付けられる構造により、ワイヤーハーネス２の製作工数を削減できる。また、分岐付近にワイヤーハーネス２の固定端同士で相対動きが発生している場合、固定数が減少する。すなわち、相対動き部に分岐設定すると、分岐素線部分への負荷が加わり断線の恐れがあり、固定点を増やし、分岐素線部への負荷をなくすのが現在一般的な方法である。これに対して、本ワイヤーハーネス保護材１によると、分岐部素線に負荷がかからないため、設定可能となる。さらに、特定部位専用設計ではないため、分岐部に対して汎用性がある。よって、量産によるコスト削減の効果も期待できる。
【００３１】
また、本実施例では、本体５は、互いに突き合わされて挿通穴２１、２２、２３を形成する上ケース６及び下ケース７を備えるので、上下ケース６、７を突き合わせることで挿通穴２１、２２、２３にワイヤーハーネス２が挿通される。このように、上下ケース６、７の突き合わせといった一度の動作でワイヤーハーネス２の分岐部３を保護できるため、ワイヤーハーネスの分岐部をテープのみで固定して保護する場合と比較して組付け時間を短縮することができる。
【００３２】
また、本実施例では、挿通穴２１、２２、２３には、ワイヤーハーネス２を構成するコルゲートチューブ１３の外周側に係合する凹凸部１４が設けられているので、コルゲートチューブ１３の外周側に凹凸部１４が係合することで、挿通穴２１、２２、２３にワイヤーハーネス２が挟持される。このように、ワイヤーハーネス保護材１とコルゲートチューブ１３とを固定できるため、ワイヤーハーネス２の枝線に負荷が加わった場合でも電線素線部分への負荷は加わらない。
【００３３】
また、本実施例では、挿通穴２１、２２、２３は、平面略円形状の本体の円周方向に沿って所定の等角度間隔で放射状に配設されている。これにより、ワイヤーハーネスの分岐形状に効果的に対応して配索することができる。
【００３４】
また、本実施例では、挿通穴は、第１挿通穴２１及び第１挿通穴２１より縦断面積の小さな第２挿通穴２２を備え、第１挿通穴２１は、円周方向の角度間隔が略１８０度となるように一対が設けられ、第２挿通穴２２は、一対の第１挿通穴の円周方向の角度間隔の間に配設されている。これにより、ワイヤーハーネス２の大径部３ａ（幹部）が一対の第１挿通穴２１に挿通されて略直線状に保持されるとともに、ワイヤーハーネス２の中小径部が第２挿通穴２２に挿通されて保持される。
【００３５】
尚、本発明においては、上記実施例に限られず、目的、用途に応じて本発明の範囲内で種々変更した実施例とすることができる。すなわち、上記実施例のケース６、７の表面に、例えば、図７（ａ）（ｂ）に示すように、他部品に取り付けるための取付部材（例えば、クリップ２５、板形状のブラケット２６等）が差し込み装着可能な装着部２７を設けるようにしてもよい。これにより、取付部材２５、２６を介してワイヤーハーネス保護材１を固定側に固定することができる。
【００３６】
また、上記実施例では、別体形成された上下ケース６、７を例示したが、これに限定されず、例えば、図８に示すように、ヒンジ部２９を介して一体形成された上下ケース６’、７’としてもよい。これにより、ワイヤーハーネス保護材１を簡易且つ安価な構造とすることができる。この場合、例えば、上下ケース６’、７’のうちの一方のケースには、弾性変形可能なフック状の係止部３０を設け、他方のケースには、係止部３０が係止する凹状の被係止部３１を設けることができる。
【００３７】
また、上記実施例では、縦断面積の異なる３種類の第１〜第３挿通穴２１、２２、２３を備える本体５を例示したが、これに限定されず、例えば、縦断面積の異なる２種類の挿通穴を備える本体としたり、縦断面積の異なる４種類以上の挿通穴を備える本体としたりしてもよい。例えば、図９に示すように、円周方向に沿って交互に第１挿通溝８及び第２挿通溝９を配設してなるケース６、７としてもよい。なお、上記実施例における挿通穴２１、２２、２３の形状、個数、配置形態は適宜選択することができる。
【００３８】
また、上記実施例では、樹脂製のケース６、７を例示したが、これに限定されず、例えば、金属製や木製のケースとしてもよい。また、ケースの形状は適宜選択することができる。
【００３９】
また、上記実施例では、ワイヤーハーネス２を構成する保護材としてコルゲートチューブ１３を例示したが、これに限定されず、例えば、ツイストチューブとしてもよい。
【００４０】
また、上記実施例では、挿通穴２１、２２、２３に凹凸部１４を設けるようにしたが、これに限定されず、例えば、挿通穴２１、２２、２３に凹凸部１４を設けないようにしてもよい。また、第１〜第３挿通穴２１、２２、２３のうちの１種又は２種の挿通穴のみに凹凸部１４を設けてもよい。
【００４１】
さらに、上記実施例では、車両で使用されるワイヤーハーネス保護材１を例示したが、これに限定されず、例えば、家電製品や事務機器等で使用されるワイヤーハーネス保護材としてもよい。
【００４２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４３】
本発明は上記で詳述した実施形態に限定されず、本発明の請求項に示した範囲で様々な変形または変更が可能である。
【産業上の利用可能性】
【００４４】
ワイヤーハーネスの分岐部を保護する技術として広く利用される。特に、乗用車、バス、トラック等の他、列車、汽車等の鉄道車両、建設車両、農業車両、産業車両などで使用されるワイヤーハーネス保護材として好適に利用される。
【符号の説明】
【００４５】
１；ワイヤーハーネス保護材、２；ワイヤーハーネス、３；分岐部、５；本体、６，６’；上ケース、７，７’；下ケース、１３；コルゲートチューブ、１４；凹凸部、２１；第１挿通穴、２２；第２挿通穴、２３；第３挿通穴、２５；クリップ、２６；ブラケット、２７；装着部、Ｓ；収容空間。
【図１】
2014207826.tif 000003
【図２】
2014207826.tif 000004
【図３】
2014207826.tif 000005
【図４】
2014207826.tif 000006
【図５】
2014207826.tif 000007
【図６】
2014207826.tif 000008
【図７】
2014207826.tif 000009
【図８】
2014207826.tif 000010
【図９】
2014207826.tif 000011
【図１０】
2014207826.tif 000012